【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
入力手段に対するタッチ操作を受付ける受付手段と、
前記受付手段で受け付けたタッチ操作に応じた処理を行う処理手段と、
前記入力手段にタッチしている部位を通じてタッチを行っているユーザが感知可能な刺激を発生させる触感発生手段と、
前記受付手段で受付可能なタッチ操作のパターンに対応した刺激を生成するように前記触感発生手段を制御する制御手段と
を有することを特徴とする電子機器。
【請求項２】
前記制御手段は、前記受付手段が受付可能な複数の接触入力のパターンのうち、前記電子機器の動作の状態に応じた有効なパターンに対応した刺激を生成するように前記制御を行うことを特徴とする請求項１に記載の電子機器。
【請求項３】
前記有効なパターンが複数ある場合、前記制御手段は、前記触感発生手段が前記有効なパターンの各々に対応する刺激を順次発生させるように制御することを特徴とする請求項２に記載の電子機器。
【請求項４】
前記制御手段は、前記電子機器の動作状態が異なっていても、それぞれの動作状態で有効なパターンが同じである場合には該それぞれの動作状態で同じ刺激を生成するように前記触感発生手段を制御することを特徴とする請求項２に記載の電子機器。
【請求項５】
表示手段をさらに有し、
前記入力手段が前記表示手段に設けられることを特徴とする請求項１乃至４のいずれか１項に記載の電子機器。
【請求項６】
前記制御手段は、前記入力手段に対するタッチ操作が予め定められた条件を満たしたことに応じて前記制御を行うことを特徴とする請求項１乃至５のいずれか１項に記載の電子機器。
【請求項７】
前記制御手段は、前記入力手段に対するタッチが検出されてから所定時間経過する間に、前記受付手段が受付可能なタッチ操作が行われない場合に前記制御を行うことを特徴とする請求項６記載の電子機器。
【請求項８】
前記制御手段は、前記入力手段に対して、有効でないパターンのタッチ操作が行われた場合に、前記制御を行うことを特徴とする請求項６または７に記載の電子機器。
【請求項９】
前記受付手段で受付可能なタッチ操作のパターンは、タップ、フリック、ドラッグの少なくとも１つを含むことを特徴とする請求項１乃至８のいずれか１項に記載の電子機器。
【請求項１０】
前記触感発生手段は、前記入力手段のうちタッチされたことを検知可能なタッチ面のうち一部の位置に対して刺激を発生させることが可能であり、
前記制御手段は、前記受付可能なタッチ操作のパターンに応じて前記触感発生手段が発生させる刺激の位置の移動パターンの異なる刺激を発生させるように制御することを特徴とする請求項１乃至９のいずれか１項に記載の電子機器。
【請求項１１】
前記制御手段は、前記受付手段で受け付け可能なタッチ操作のパターンとしての特定の方向へのフリック操作に対応した刺激として、タッチ面に対して、前記特定の方向に局所的な刺激を移動しながら発生させるように制御することを特徴とする請求項１０に記載の電子機器。
【請求項１２】
前記刺激は、振動による刺激であることを特徴とする請求項１乃至１１のいずれか１項に記載の電子機器。
【請求項１３】
前記刺激は、電気的な刺激であることを特徴とする請求項１乃至１１のいずれか1項に記載の電子機器。
【請求項１４】
入力手段にタッチしている部位を通じてタッチを行っているユーザが感知可能な刺激を発生させる触感発生手段を有する電子機器の制御方法であって、
前記入力手段に対するタッチ操作を受付ける受付ステップと、
前記受付ステップで受け付けたタッチ操作に応じた処理を行う処理ステップと、
前記受付ステップで受付可能なタッチ操作のパターンに対応した刺激を生成するように前記触感発生手段を制御する制御ステップと
を有することを特徴とする電子機器の制御方法。
【請求項１５】
コンピュータを、請求項１乃至１３のいずれか１項に記載された電子機器の各手段として機能させるためのプログラム。
【請求項１６】
コンピュータを、請求項１乃至１３のいずれか１項に記載された電子機器の各手段として機能させるためのプログラムを格納したコンピュータが読み取り可能な記憶媒体。
【手続補正２】
【補正対象書類名】明細書
【補正対象項目名】００３５
【補正方法】変更
【補正の内容】
【００３５】
従って、ＣＰＵ１０１は、明るさ設定画面５００を表示中に、スライダー５０１が所定時間以上タッチされる（タッチオン）と、触感発生部１１３に、左右方向へのムーブ操作を通知するための触感を発生させる。例えば、図２の対応テーブルに従い、図５（ｂ）に示すように、タッチ位置を中心とする近傍領域内で左から右に、複数の位置において触感を順次発生させる。これによってユーザは、スライダー５０１に触れていると、スライダー５０１を左右にドラッグする操作が可能であることを触感から認識することができる。
【手続補正３】
【補正対象書類名】明細書
【補正対象項目名】００５１
【補正方法】変更
【補正の内容】
【００５１】
Ｓ７０６においてＣＰＵ１０１は、タッチアップを検出していなければ処理をＳ７０４に戻す。タッチアップを検出した場合、ＣＰＵ１０１は処理をＳ７１１に進め、タップ操作を受け付けたことを表す情報を受け付け処理結果に設定して、処理をＳ７１２に進める。
Ｓ７１２でＣＰＵ１０１は、Ｓ７０８と同様にタイマーをリセットし、図６のＳ６０３へ進む。
【手続補正４】
【補正対象書類名】明細書
【補正対象項目名】００５９
【補正方法】変更
【補正の内容】
【００５９】
Ｓ８０６でＣＰＵ１０１は、右方向のムーブ状態を検出したかどうかを判別し、検出した場合は処理をＳ８１２に進め、右方向のフリック操作を受け付けたことを表す情報を受け付け処理結果に設定して、処理をＳ８１５に進める。右方向のムーブ状態を検出していない場合、ＣＰＵ１０１は処理をＳ８０７へ進め、左方向のムーブ状態を検出したかどうかを判別する。左方向のムーブ状態を検出した場合、ＣＰＵ１０１は処理をＳ８１３に進め、左方向のフリック操作を受け付けたことを表す情報を受け付け処理結果に設定して、処理をＳ８１５に進める。
Ｓ８１５でＣＰＵ１０１は、Ｓ８１０と同様にタイマーをリセットし、図６のＳ６０３へ進む。
【手続補正５】
【補正対象書類名】明細書
【補正対象項目名】００８０
【補正方法】変更
【補正の内容】
【００８０】
経過時間Ｔが２秒以上４秒未満である場合、ＣＰＵ１０１は処理をＳ１１０２へ進め、右方向フリック操作に対応した触感を、タッチオンが検出されている位置に与えるよう、触感発生部１１３を制御する。そして、ＣＰＵ１０１は処理をＳ１１０８に進める。
【手続補正６】
【補正対象書類名】明細書
【補正対象項目名】００８６
【補正方法】変更
【補正の内容】
【００８６】
Ｓ１１０８でＣＰＵ１０１は、タッチアップを検出したかどうかを判別し、検出していなければ、Ｓ１１０１から再度処理を行う。タッチアップを検出していれば、ＣＰＵ１０１は処理をＳ１１０９へ進め、システムタイマー１１２またはそのカウント動作を停止し、計時タイマーをリセットし（０にして止め）、処理をＳ１００２に移行する。
【手続補正７】
【補正対象書類名】図面
【補正対象項目名】図６
【補正方法】変更
【補正の内容】
【図６】
2014229149.tif 000001
【手続補正８】
【補正対象書類名】図面
【補正対象項目名】図１１
【補正方法】変更
【補正の内容】
【図１１】
2014229149.tif 000002
【手続補正９】
【補正対象書類名】図面
【補正対象項目名】図１３
【補正方法】変更
【補正の内容】
【図１３】
2014229149.tif 000003